(57)【要約】【課題】本発明は内照式標識の蛍光灯光源の代替えとして容易に取替えがおこなわれることを可能とした内照式標識の交換用ＬＥＤ照明装置を提供することを目的とするものである。【解決手段】環状の放熱リング３と、この放熱リング３の少なくとも一側面に設けられたＬＥＤ灯４とを備える。【選択図】図１
2011247031.tif 000002
【特許請求の範囲】
【請求項１】
環状の放熱リングと、
前記放熱リングの少なくとも一側面に配置されたＬＥＤ灯とを備える
内照式標識の交換用ＬＥＤ照明装置。
【請求項２】
前記ＬＥＤ灯は、
ＬＥＤ素子と、
前記ＬＥＤ素子を被包する約１６０度方向に光強度のピークを持つ広角レンズとを有する
請求項１に記載の内照式標識の交換用ＬＥＤ照明装置。
【請求項３】
前記放熱リング及びＬＥＤ灯が透光性を有する管体により被包された
請求項１または請求項２に記載の内照式標識の交換用ＬＥＤ照明装置。
【請求項４】
少なくとも一方の開口端に表示板が取付けられた筺体と、
前記筺体内に交換用ＬＥＤ照明装置を支持するために配置された支持腕部と、
環状の放熱リングと、
前記放熱リングの少なくとも一側面に配置されたＬＥＤ灯を有するＬＥＤ照明装置とを備える
内照式標識。
【請求項５】
前記ＬＥＤ灯は、
ＬＥＤ素子と、
前記ＬＥＤ素子を被包する約１６０度方向に光強度のピークを持つ広角レンズを有する
請求項４に記載の内照式標識。
【発明の詳細な説明】
【技術分野】
【０００１】
本発明は内照式標識の交換用ＬＥＤ（Ｌｉｇｈｔ  Ｅｍｉｔｔｉｎｇ  Ｄｉｏｄｅ）照明装置及び内照式標識に関する。詳しくは内照式標識の光源として多用されている蛍光管の代替として使用可能な内照式標識の交換用ＬＥＤ照明装置及び内照式標識に係るものである。
【背景技術】
【０００２】
従来、この種の内照式標識のＬＥＤ照明装置として、例えば特許文献１に記載されたものが知られている。
具体的には、特許文献１に記載された内照式標識のＬＥＤ照明装置は、図６及び図７に示すように、筺体１０１の前面に設置した表示板１０２を内側より照射する代替ＬＥＤ発光源として円形導光板１０３が支柱１０４によって筺体１０１内に固定されている。
【０００３】
この円形導光板１０３は、円形導光板１０３の略３分の１の半径の円で中央部がくりぬかれた中央窓部１０５を有した構成とされている。
【０００４】
更に、円形導光板１０３の外側の導光板部分に１つの同心円に接する向きにくり抜かれた複数の長方形の発光源収納窓部１０６を有した構成とされている。
【０００５】
この発光源収納窓部１０６に収納保持され、円形導光板１０３の中央側に向けて設置された第１のＬＥＤアレイ１０７ａと、円形導光板１０３の外周側に向けて設置された第２のＬＥＤアレイ１０７ｂとを有し、円形導光板１０３の裏面に反射シート１０８を有した構成とされている。
【０００６】
このような構成の内照式標識のＬＥＤ照明装置では、円形導光板１０３の中央にくりぬかれた円形の中央窓部１０５の側面から第１のＬＥＤアレイ１０７ａからの光が出光し、円形導光板１０３の中央部が明るく照射される。
【０００７】
また、第２のＬＥＤアレイ１０７ｂから出光した光は、直線的に円形導光板１０３に入り、外周側面から出光する際には、円形導光板１０３の円周に沿って拡散して出光される。
【０００８】
一方、既設の円形状の蛍光灯を使用した内照式標識では、例えば図８に示すように、筺体１１０内に取り付けられる蛍光灯１１１の両側に表示板１１２が配置された構成とされたものが多い。
【先行技術文献】
【特許文献】
【０００９】
【特許文献１】特開２００６−１４４４８３号公報
【発明の概要】
【発明が解決しようとする課題】
【００１０】
しかしながら、特許文献１に記載された内照式標識のＬＥＤ照明装置では、標識文字が描かれた表示板をＬＥＤアレイにより筺体内面を照射することで間接的に照射する構成で表示板を直接に照射するのと比較して多くのＬＥＤアレイが必要となる問題がある。
【００１１】
また、上記の様に構成された既設の内照式標識の光源としての蛍光灯の代替えとしてＬＥＤ光源を使用する場合には、２面の表示板に均一に、かつそれぞれの表示板に向けたＬＥＤ光源を配置しなければならず多くのＬＥＤ光源が必要となると共に、蛍光灯との取替えが非常に煩雑となる問題がある。
【００１２】
本発明は、以上の点に鑑みて創案されたものであって、内照式標識の蛍光灯光源の代替えとして容易に取替えを行うことを可能とした内照式標識の交換用ＬＥＤ照明装置及び内照式標識を提供することを目的とするものである。
【課題を解決するための手段】
【００１３】
上記の目的を達成するために、本発明に係る内照式標識の交換用ＬＥＤ照明装置は、環状の放熱リングと、前記放熱リングの少なくとも一側面に配置されたＬＥＤ灯とを備える。
【００１４】
ここで、環状の放熱リングと、放熱リングの少なくとも一側面に配置されたＬＥＤ灯とを備えることによって既設の蛍光灯と同様に容易に取り替えることが可能となる。
【００１５】
また、ＬＥＤ灯は、ＬＥＤ素子と、このＬＥＤ素子を被包する約１６０度方向に光強度のピークを持つ広角レンズとを有することによって、最大領域での照射が可能となると共に、均一の照射が可能となる。
【００１６】
また、放熱リング及びＬＥＤ灯が透光性を有する管体により被包されることによって、従来の蛍光灯と同様に交換時の取替えを容易に行えることが可能となる。
【００１７】
また、上記の目的を達成するために、本発明に係る内照式標識は、少なくとも一方の開口端に表示板が取付けられた筺体と、前記筺体内に交換用ＬＥＤ照明装置を支持するために配置された支持腕部と、環状の放熱リングと、前記放熱リングの少なくとも一側面に配置されたＬＥＤ灯を有するＬＥＤ照明装置とを備える。
【００１８】
ここで、少なくとも一方の開口端に表示板が取付けられた筺体と、筺体内に交換用ＬＥＤ照明装置を支持するために配置された支持腕部とを備えた内照式標識によって、既設の蛍光灯からの交換が容易に行えると共に、ＬＥＤ照明装置に交換することで寿命が著しく増加すると共に消費電力の削減を図ることが可能となる。
【００１９】
また、ＬＥＤ灯は、ＬＥＤ素子と、このＬＥＤ素子を被包する約１６０度方向に光強度のピークを持つ広角レンズとを有することによって、表示板に対して最大領域での照射が可能となると共に、均一の照射が可能となる。
【発明の効果】
【００２０】
本発明の内照式標識の交換用ＬＥＤ照明装置によれば、ＬＥＤ灯を環状に配置することで円形の蛍光灯と同様に容易に取り替えることが可能となる。また、本発明の内照式標識によれば、既設の蛍光灯の内照式標識に対して蛍光灯の取替え時に蛍光灯の代替えとして交換用ＬＥＤ照明装置を容易に取り付けることが可能となる。
【図面の簡単な説明】
【００２１】
【図１】本発明を適用した内照式標識の交換用ＬＥＤ照明装置の一例を示すための平面模式図である。
【図２】本発明を適用した内照式標識の交換用ＬＥＤ照明装置の一例を示すための断面模式図である。
【図３】本発明を適用した内照式標識の交換用ＬＥＤ照明装置の一例を示すための要部拡大断面模式図である。
【図４】本発明を適用した内照式標識の交換用ＬＥＤ照明装置の配光状態の一例を示すための模式図である。
【図５】本発明を適用した内照式標識の交換用ＬＥＤ照明装置による内照式標識の一例を説明するための模式図である。
【図６】従来の内照式標識の交換用ＬＥＤ照明装置の一例を示す平面模式図である。
【図７】従来の内照式標識の交換用ＬＥＤ照明装置の一例を示す断面模式図である。
【図８】従来の蛍光灯内照式標識の一例を説明するための模式図である。
【発明を実施するための形態】
【００２２】
以下、本発明の実施の形態を図面を参酌しながら説明し、本発明の理解に供する。
【００２３】
＜実施例１＞
図１は本発明を適用した内照式標識の交換用ＬＥＤ照明装置の一例を示すための平面模式図、図２は本発明を適用した内照式標識の交換用ＬＥＤ照明装置の一例を示すための断面模式図、図３は本発明を適用した内照式標識の交換用ＬＥＤ照明装置の一例を示すための要部拡大断面模式図である。
【００２４】
ここで示す交換用ＬＥＤ照明装置１は、円形の蛍光灯（図示せず。）と略同径とされた管体２と、この管体２内の略中央に周設される放熱リング３と、この放熱リング３の両側面に配置されるＬＥＤ灯４とを備えた構成とされている。
【００２５】
ここで、管体２は透明のガラス材、あるいはアクリル樹脂等の合成樹脂材より形成され、円形蛍光灯管と同様に環状とされている。
【００２６】
また、放熱リング３はアルミ板、あるいは銅板のように熱伝導性の優れた材質より形成されている。
【００２７】
更に、放熱リング３の両側面にはハイパワー用のＬＥＤ灯の放熱基板としてのＬＥＤ専用放熱基板５が取付けられた構成とされている。
【００２８】
このＬＥＤ専用放熱基板５は、ＬＥＤ灯の点灯時の発熱がＬＥＤ専用放熱基板５を通して放熱リング３に放熱されることで管体２内での複数のハイパワーのＬＥＤ灯の設置が可能とされるものである。更に、蛍光灯と同様に電源からのプラグ（図示せず。）をコネクタ１０に差し込むことによりＬＥＤ灯４が点灯する構成とされている。
【００２９】
次に、ＬＥＤ専用放熱基板５上にはＬＥＤ灯４が配置された構成とされている。このＬＥＤ灯４は、ＬＥＤ素子６が広角レンズ７によって被包された構成とされている。具体的には、ＣＬＡＶＩＳ  Ｃｏｍｐａｎｙ  製のＬＵＸＥＯＮ  Ｒｅｂｅｌ用広角レンズが使用されている。
【００３０】
この広角レンズ７は、材質がＰＣ（ポリカーボネート）、屈折率：１．５９、光線透過率：８９％とされ、ＬＥＤ素子６による発光が、約１６０度の方向に光強度がピークとなるように拡散することが可能とされている。
【００３１】
即ち、ＬＥＤ素子６による発光を約１６０度の方向とすることによって表示板（図示せず。）等の照射面に対して面反射することなく最大領域の照射が可能となると共に、光強度がピークとなるようにすることで照射面に対して均一な照度を確保することが可能となる。
【００３２】
上記の様に構成された交換用ＬＥＤ照明装置では、図４に示すように、ＬＥＤ灯４を環状とされる放熱リング３の円周方向に沿って７０ｍｍピッチ毎に配置することでＬＥＤ素子６から照射される光は広角レンズ７によって図中Ａ矢印方向へ拡散される。
【００３３】
これにより管体２の両側の相対する面に例えば標識の表示板（図示せず。）が配置された場合には、この表示板に対して均一に照射することが可能となる。
【００３４】
なお、本実施例では管体内にＬＥＤ灯を設けた交換用ＬＥＤ照明装置を詳述するものであるが、必ずしも管体を必要とするものではなく、環状とされる放熱板上にＬＥＤ灯が配置された構成であっても構わない。
【００３５】
また、本実施例では環状の放熱リングの両側面にＬＥＤ灯を配置するものであるが、必ずしも放熱リングの両側面に配置する必要性はなく、どちらかの一側面に配置する構成であっても構わない。
【００３６】
以上の構成の交換用ＬＥＤ照明装置では、円形状の蛍光灯と略同形とすることで既設の内照式標識に大きな手を加えることなく既設の蛍光灯と取り替えることでＬＥＤ可能となる。
【００３７】
また、広角レンズによってＬＥＤ素子による発光を約１６０度の範囲内にて拡散することで環状に配置されるＬＥＤ灯に相対する標識文字が記載された表示板（図示せず。）に対して均一な照明を行うことが可能となる。
【００３８】
更に、広角レンズによってＬＥＤ素子による発光が拡散されることでＬＥＤ素子との間隔を拡げることが可能となり、これにより最小限での個数によるＬＥＤ素子での照明を行うことができる。
【００３９】
また、環状の放熱リングの両側面にＬＥＤ灯を配置することで従来の円形の蛍光灯と同様に両側に配置された表示板に対して均一な照明を行うことが可能となる。
【００４０】
＜実施例２＞
図５は本発明を適用した内照式標識の交換用ＬＥＤ照明装置による内照式標識の一例を説明するための模式図である。
【００４１】
ここで示す内照式標識１１は、アルミニウム合金などの金属を材質とする両端開口状とされた筺体１２内に交換用ＬＥＤ照明装置１を着脱自在に支持することができる支持腕部１３が取り付けられている。
【００４２】
この支持腕部１３は筺体１２内側面に交換用ＬＥＤ照明装置１の管体２を四方より嵌め合わせて筺体１２内にて支持できる構成とされている。
【００４３】
また、筺体１２のそれぞれの開口端１６には表示板１４が取り付けられている。この表示板１４は、アクリル樹脂などの合成樹脂材料により乳白色状に形成されると共に、例えば「侵入禁止」などの標識文字（図示せず。）が描かれた構成とされている。
【００４４】
更に、表示板１４は、筺体１２の開口端１６に対してゴムパッキン（図示せず。）を介して締結ネジ１７によって取り外し可能な構成とされている。
【００４５】
従って、既設の蛍光灯（図示せず。）から交換用ＬＥＤ照明装置１に取り替える場合には、表示板１４を取り外して支持腕部１３から蛍光灯を取り外し、この蛍光灯を略同形とされる交換用ＬＥＤ照明装置１を支持腕部１３に取り付けることで交換を容易にすることができる構成とされている。
【００４６】
次に、交換用ＬＥＤ照明装置１は、図１、図２および図３において前述したように、既設の円形蛍光灯管（図示せず。）と略同径とされた管体２と、この管体２内の略中央に周設される放熱リング３と、この放熱リング３の両側面に配置されるＬＥＤ灯４とを備える構成とされている。
【００４７】
ここで、管体２は透明のガラス材、あるいはアクリル樹脂等の合成樹脂材より形成され、円形の蛍光灯と同様に環状とされている。
【００４８】
また、放熱リング３はアルミ板、あるいは銅板のように熱伝導性の優れた材質より形成されている。
【００４９】
更に、放熱リング３の両側面にはハイパワー用のＬＥＤ灯の放熱基板としてのＬＥＤ専用放熱基板５が取付けられた構成とされている。
【００５０】
このＬＥＤ専用放熱基板５は、ＬＥＤ灯の点灯時の発熱がＬＥＤ専用放熱基板５を通して放熱リング３に放熱されることで管体２内での複数のハイパワーのＬＥＤ灯の設置が可能とされるものである。
【００５１】
また、ＬＥＤ灯４は、管体２の接続部９に設けられるコネクタ１０と電流線８によって接続されている。そして蛍光灯と同様に筺体１２内に設けられるプラグ（図示せず。）をコネクタ１０に差し込むことによりＬＥＤ灯４が点灯する構成とされている。
【００５２】
次に、ＬＥＤ専用放熱基板５上にはＬＥＤ灯４が配置された構成とされている。このＬＥＤ灯４は、ＬＥＤ素子６が広角レンズ７によって被包された構成とされている。
【００５３】
この広角レンズ７は、材質がＰＣ（ポリカーボネート）、屈折率：１．５９、光線透過率：８９％とされ、ＬＥＤ素子６による発光が、約１６０度の方向に光強度がピークとなるように拡散することが可能とされている。
【００５４】
即ち、ＬＥＤ素子６による発光を約１６０度の方向とすることによって表示板１４に対して面反射することなく最大領域の照射が可能となると共に、光強度がピークとなるようにすることで照射面に対して均一な照度を確保することが可能となる。
【００５５】
これによりＬＥＤ灯４を環状とされる放熱リング３の円周方向に沿って７０ｍｍピッチ毎に配置することでＬＥＤ素子６から照射される光は広角レンズ７によって約１６０度の方向に光強度がピークとなる様に拡散することで、交換用ＬＥＤ照明装置１の両側に配置される表示板１４に対して均一に照射することが可能となる。
【００５６】
なお、本実施例では筺体１２の両側に表示板１４を取り付けた構成の内照式標識１１を詳述するものであるが、必ずしも筺体１２の両側に表示板１４を取り付ける必要性はなく、一側面のみに表示板１４を取り付ける構成であっても構わない。
この場合には、交換用ＬＥＤ照明装置１のＬＥＤ灯は放熱リングの表示板方向側面のみに配置された構成とすることが望ましい。
【００５７】
以上の構成の内照式標識では、ＬＥＤ灯を環状に配置することにより既設の蛍光灯の内照式標識の蛍光灯の取替え時と同様に交換用ＬＥＤ照明装置を容易に取り付けることが可能となる。
【００５８】
また、交換用ＬＥＤ照明装置のＬＥＤ素子による発光を広角レンズによって約１６０度の方向に光強度がピークとなる様に拡散することで円形の蛍光灯以上に標識文字が記載された表示板に対して均一な照明を行うことが可能となる。
【００５９】
また、環状の放熱リングの両側面にＬＥＤ灯を配置することで円形の蛍光灯と同様に両側に配置された表示板に対して均一な照明を行うことが可能となる。
【符号の説明】
【００６０】
１      交換用ＬＥＤ照明装置
２      管体
３      放熱リング
４      ＬＥＤ灯
５      ＬＥＤ専用放熱基板
６      ＬＥＤ素子
７      広角レンズ
９      接続部
１０    コネクタ
１１    内照式標識
１２    筺体
１３    支持腕部
１４    表示板
１６    開口端
１７    締結ネジ
【図１】
2011247031.tif 000003
【図２】
2011247031.tif 000004
【図３】
2011247031.tif 000005
【図４】
2011247031.tif 000006
【図５】
2011247031.tif 000007
【図６】
2011247031.tif 000008
【図７】
2011247031.tif 000009
【図８】
2011247031.tif 000010